(57)【要約】【課題】使用場所の雰囲気を彩ることができ、しかも収納された家庭用薄葉紙が減って軽くなったとしても手から滑ってしまうおそれがない、家庭用薄葉紙の収納材とする。【解決手段】内部に家庭用薄葉紙が収納された箱体とされ、使用にあたり収納された家庭用薄葉紙の取り出しが行われる、家庭用薄葉紙の収納材１であって、箱体外面１０，２０，３０，４０，５０Ａ，５０Ｂ，６０Ａ，６０Ｂとなる部位の少なくとも一部に、ホログラム模様を有する凹凸層が設けられている。【選択図】図１
2008030852.tif 000002
【特許請求の範囲】
【請求項１】
内部に家庭用薄葉紙が収納された箱体とされ、使用にあたり前記収納された家庭用薄葉紙の取り出しが行われる、家庭用薄葉紙の収納材であって、
前記箱体外面となる部位の、少なくとも一部に、ホログラム模様を有する凹凸層が設けられている、ことを特徴とする家庭用薄葉紙の収納材。
【請求項２】
内部に家庭用薄葉紙が収納された、天外面、底外面、前外面、後外面、一方側外面及び他方側外面を有する六面体状の箱体とされ、積み重ねられた他の箱体とともに包装されて搬送され、前記包装解除後の使用にあたり前記収納された家庭用薄葉紙の取り出しが行われる、家庭用薄葉紙の収納材であって、
前記天外面及び前記底外面の少なくとも一方の外面並びに、前外面、後外面、一方側外面及び他方側外面の少なくともいずれかの外面に、ホログラム模様を有する凹凸層が設けられている、ことを特徴とする家庭用薄葉紙の収納材。
【請求項３】
前記凹凸層は印刷模様層を介して設けられ、この印刷模様層は前記凹凸層を通して視認可能とされている、請求項１又は請求項２記載の家庭用薄葉紙の収納材。
【請求項４】
前記凹凸層は、ＵＶ硬化型樹脂又はプラスチックフィルムで形成されている、請求項１〜３のいずれか１項に記載の家庭用薄葉紙の収納材。
【発明の詳細な説明】
【技術分野】
【０００１】
本発明は、六面体状等の箱体に組まれるとともに、この箱体の内部にティシュペーパー等の家庭用薄葉紙が収納され、例えば、ボックス型ティシュペーパーなどとして使用される、家庭用薄葉紙の収納材に関するものである。
【背景技術】
【０００２】
家庭用薄葉紙たるティシュペーパーは、例えば、立方体状、直方体状等の六面体状の箱体の内部に収納されて、一般家庭、企業などの幅広い場所において、使用されている（例えば、特許文献１、特許文献２参照）。内部にティシュペーパーが収納された箱体は、例えば、ボックス型ティシュペーパーなどと呼ばれている。
このボックス型ティシュペーパーは、例えば、３〜５個の複数個が積み重ねられた状態で、フィルムシート等の包装材で包装されたうえで、工場から店頭への搬送、店頭での陳列、店頭から各家庭への持ち帰りなどが行われている。
ボックス型ティシュペーパーは、各家庭へ持ち帰った後、フィルムシートを引き裂くなどして取り出し、天面に形成されたミシン目を利用して取出口を形成するなどしたうえで、テーブルや鏡台の上に置き、いつでも使用することができる状態にしている。使用にあたっては、一方の手でボックス型ティシュペーパーを持ち上げ、他方の手で取出口からティシュペーパーを取り出すなどしている。
このように、ボックス型ティシュペーパーは、各家庭でテーブルや鏡台の上に置かれるなどして使用されるものであるから、外面のデザインに工夫が凝らされている（例えば、特許文献３参照）。また、ボックス型ティシュペーパーは、店頭で陳列されるに際しては、複数個が積み重ねられた状態になっているため、複数個が積み重ねられた状態で統一感のあるデザインとなるような工夫も凝らされている（例えば、特許文献４、特許文献５参照）。
しかしながら、従来のボックス型ティシュペーパーには、次のような問題があった。
すなわち、従来のボックス型ティシュペーパーは、そのデザインが、消費者の購入意欲を刺激することに向けられた文章や図柄等の模様であった。また、ボックス型ティシュペーパーは、使用していくうちに、収納されたティシュペーパーの枚数が減り、軽くなる。したがって、一方の手でボックス型ティシュペーパーを持ち上げる際や、他方の手で取出口からティシュペーパーを取り出す際などに、ボックス型ティシュペーパーが手から滑ってしまう場合があった。
さらに、消費者の購入意欲を刺激するデザインとはいっても、複数個が積み重ねられて店頭に陳列された状態においては、周辺の同種のボックス型ティシュペーパーも同様のデザインとなっているため、相対的には目立ちにくく、消費者は目移りして、結局、製品を十分にアピールできていない。また、工場から店頭への搬送、店頭での陳列などに際しては、積み重ねられたボックス型ティシュペーパーがフィルムシート等の包装材内で各別に動き、フィルムシート等が伸びてしまうことがあった。フィルムシート等は、伸びると透明度が下がり、あるいは目に付くようになるため、せっかく工夫が凝らされたボックス型ティシュペーパーデザインも、その効果を十分に発揮しなくなってしまう。消費者から見れば、凄然と商品が並んでいるに過ぎない印象を与えることもある。
【特許文献１】特開平１１−１３０１６７号公報
【特許文献２】特開２００２−２４９１８３号公報
【特許文献３】特開２００２−１９３３５７号公報
【特許文献４】特開２００５−１５３８９８号公報
【特許文献５】特開２００６−６９６３７号公報
【発明の開示】
【発明が解決しようとする課題】
【０００３】
本発明が課題しようとする主たる課題は、使用場所の雰囲気を彩ることができ、しかも収納された家庭用薄葉紙が減って軽くなったとしても手から滑ってしまうおそれがない、家庭用薄葉紙の収納材を提供することにある。
また、本発明の主たる課題は、複数個が積み重ねられて包装材に収納された状態においても、デザイン性に優れる家庭用薄葉紙の収納材を提供することにもある。
【課題を解決するための手段】
【０００４】
この課題を解決した本発明は次のとおりである。
＜請求項１項記載の発明＞
内部に家庭用薄葉紙が収納された箱体とされ、使用にあたり前記収納された家庭用薄葉紙の取り出しが行われる、家庭用薄葉紙の収納材であって、
前記箱体外面となる部位の、少なくとも一部に、ホログラム模様を有する凹凸層が設けられている、ことを特徴とする家庭用薄葉紙の収納材。
【０００５】
＜請求項２項記載の発明＞
内部に家庭用薄葉紙が収納された、天外面、底外面、前外面、後外面、一方側外面及び他方側外面を有する六面体状の箱体とされ、積み重ねられた他の箱体とともに包装されて搬送され、前記包装解除後の使用にあたり前記収納された家庭用薄葉紙の取り出しが行われる、家庭用薄葉紙の収納材であって、
前記天外面及び前記底外面の少なくとも一方の外面並びに、前外面、後外面、一方側外面及び他方側外面の少なくともいずれかの外面に、ホログラム模様を有する凹凸層が設けられている、ことを特徴とする家庭用薄葉紙の収納材。
【０００６】
（請求項１及び請求項２の主な作用効果）
ホログラムは、光の干渉を利用して立体的な画像を再生するものである。したがって、箱体外面となる部位の一部にホログラム模様を有する層が設けられていると、見る角度によって模様の色や形などが変化するため、従来の単なる立体的なデザインとは異なり、使用場所の雰囲気を彩るものとなる。また、このホログラム模様を有する層が凹凸を有すると、この凹凸による摩擦増加効果によって、収納された家庭用薄葉紙が減って軽くなったとしても、手から滑ってしまうおそれがない。
特に、家庭用薄葉紙の収納材が六面体状の箱体とされる場合において、ホログラム模様を有する凹凸層が、天外面及び底外面の少なくとも一方の外面並びに、前外面、後外面、一方側外面及び他方側外面の少なくともいずれかの外面に設けられていると、複数個が積み重ねられて包装材に収納された状態においても、デザイン性に優れる。これは、次の理由による。
すなわち、まず、ホログラム模様を有する凹凸層が、天外面及び底外面の少なくとも一方の外面に設けられていると、上下に積み重ねられた箱体間の摩擦が増加して、各別に動くことがなくなる。したがって、フィルムシート等の包装材が伸びてしまうことがなくなり、包装材の透明度が低下することや目に付くようになることを原因とするデザイン性の低下が防止される。また、ホログラム模様を有する凹凸層が、前外面、後外面、一方側外面及び他方側外面の少なくともいずれかの外面に設けられていると、複数個が積み重ねられた状態においても、消費者の目にとまり、しかも周辺の同種のものからも相対的に目立つため、製品アピール等の観点においてデザイン性に優れる。
【０００７】
＜請求項３項記載の発明＞
前記凹凸層は印刷模様層を介して設けられ、この印刷模様層は前記凹凸層を通して視認可能とされている、請求項１又は請求項２記載の家庭用薄葉紙の収納材。
【０００８】
（主な作用効果）
凹凸層が印刷模様層を介して設けられ、この印刷模様層が凹凸層を通して視認可能とされていると、ホログラム模様に加えて印刷模様が付加されるため、使用場所の雰囲気がよりいっそう向上する。また、複数個が積み重ねられて包装材に収納された状態において、よりいっそう消費者の目を引くことになるため、製品アピール等の観点においてデザイン性が向上する。
【０００９】
＜請求項４項記載の発明＞
前記凹凸層は、ＵＶ硬化型樹脂又はプラスチックフィルムで形成されている、請求項１〜３のいずれか１項に記載の家庭用薄葉紙の収納材。
【００１０】
（主な作用効果）
ホログラム模様を有する凹凸層を形成するにあたっては、アルミ箔やアルミ蒸着紙を使用する方法もある。しかしながら、アルミ箔を使用する方法は、ゴミとして焼却した際にアルミ箔が残渣として残るため、その残渣の処理が問題になる。そこで、焼却せず不燃ゴミとして扱うことも考えられるが、不燃ゴミとして扱うと、埋立て処分場不足の問題にマイナスとなり、燃焼エネルギー回収という面では不利となる。他方、アルミ蒸着紙を使用する方法は、多大のエネルギーと時間が必要になり、エネルギーの面、コストの面が問題になる。これに対して、ホログラム模様を有する凹凸層をＵＶ硬化型樹脂又はプラスチックフィルムで形成する方法によれば、以上のような問題を生じず、しかも、ホログラム模様を容易に形成することができる。
【発明の効果】
【００１１】
本発明によれば、使用場所の雰囲気を彩ることができ、しかも収納された家庭用薄葉紙が減って軽くなったとしても手から滑ってしまうおそれがない、家庭用薄葉紙の収納材となる。
また、本発明によれば、複数個が積み重ねられて包装材に収納された状態においても、デザイン性に優れる家庭用薄葉紙の収納材となる。
【発明を実施するための最良の形態】
【００１２】
次に、本発明の実施の形態を説明する。
本発明が対象とする家庭用薄葉紙は、その種類が特に限定されず、例えば、ティシュペーパー、（積層型の）トイレットペーパー、キッチンペーパー、ペーパータオル等の繊維集合体などを、対象とすることができる。以下では、家庭用薄葉紙がティシュペーパーである場合を例に、説明する。なお、一般に、ティシュペーパーとしては、２枚重ね（２プライ）や３枚重ね（３プライ）等の複数枚重ねのものや、枚葉（１プライ）のものがあるが、いずれも本形態の対象とすることができる。また、ティシュペーパーは、通常、積層されて収納材内に収納されるが、このティシュペーパーの積層枚数も特に限定されず、ごく一般的な、２００組（合計４００枚）、１８０組（合計３６０枚）が積層された形態なども好適に対象とすることができる。
【００１３】
図１に本形態の収納材１の展開図を、図２に収納材１が六面体状の箱体に組み立てられ、この箱体の内部にティシュペーパーが収納されたボックス型ティシュペーパーの斜視図を、それぞれ示した。
【００１４】
図１に示すように、本形態の収納材１は、例えば、紙や樹脂シート等からなる平板状の１枚の基材が、ミシン目線、折り筋線、低坪量線等からなる折り線によって、平面略方形状の次の各片に区画されたものである。
すなわち、後面片４０、この後面片４０の両側方に連接された後側糊代片４０Ｈ，４０Ｈ、後面片４０と隣接する天面片１０、この天面片１０の両側方に連接された上側側面片５０Ａ，６０Ａ、天面片１０と隣接する前面片３０、この前面片３０の両側方に連接された前側糊代片３０Ｈ，３０Ｈ、前面片３０と隣接する底面片２０、この底面片２０の両側方に連接された下側側面片５０Ｂ，６０Ｂ、及び、底面片２０と隣接する横糊代片２０Ｎである。
【００１５】
本形態において、収納材１の天面片１０には、ミシン目線、ハーフスリット等からなる切断補助線Ｔが環状に形成されている。この切断補助線Ｔの全部又は一部を裂開し、この切断補助線Ｔで囲まれる部位を剥ぎ取り、あるいは折り返すことにより、内部に収納されたティシュペーパーの取出口が形成される。天面片１０の内面には、この取出口となる領域を塞ぐように、フィルムシートＦが接着剤等を使用して貼り付けられている。このフィルムシートＦのほぼ中央部には、取出口長手方向に沿うスリットＳが形成されており、このスリットＳからティシュペーパーの取り出しが行われる。もちろん、本形態において、このフィルムシートＦは必須のものではなく、フィルムレスとすることもできる。
【００１６】
以上のようにしてなる収納材１は、例えば、横糊代片２０Ｎが後面片４０の内面に糊付けされることにより筒体とされ、さらに、前側糊代片３０Ｈ，３０Ｈ及び後側糊代片４０Ｈ，４０Ｈ、下側側面片５０Ｂ，６０Ｂ、並びに、上側側面片５０Ａ，６０Ａが、この順に折り畳まれて筒体の両開口が閉じられることにより、図２に例示するように、六面体状の箱体に組み上げられる。つまり、収納材１の天面片１０によって天面が、収納材１の底面片２０によって底面が、収納材１の前面片３０によって前面が、収納材１の後面片４０によって後面が、収納材１の上側側面片５０Ａ及び下側側面片５０Ｂによって一方側面が、収納材１の上側側面片６０Ａ及び下側側面片６０Ｂによって他方側面が、それぞれ形成された六面体状の箱体となる。
【００１７】
この収納材１の組み上げに際しては、例えば、筒体とされた後に一方の開口から、あるいは筒体の一方開口が閉じられた後に他方の開口から、内部に図示しないティシュペーパーの積層体が収納される。これにより、収納材１は、内部にティシュペーパーが収納された箱体になり、ボックス型ティシュペーパーＢとして、例えば商品化される。
【００１８】
もっとも、この商品化は、各ボックス型ティシュペーパーＢ単位に行う必要はない。例えば、図３に例示するように、３〜５個の、図示例では５個の同種のボックス型ティシュペーパーＢ１〜５を積み重ね、この積み重ね状態で図示しないフィルムシート等の包装材によって包装して、商品化することもできる。この形態においては、フィルムシート等の包装材を引き裂くなどして包装解除してから各ボックス型ティシュペーパーＢを取り出し、使用に供される。
【００１９】
本形態においては、箱体を、現在最も汎用化されている直方体状としているが、これに限定する趣旨ではない。例えば、立方体状等の他の六面体状とすることや、天面及び底面が平面とされた円筒状とすることなどもできる。
【００２０】
以上のようにして箱体にされた収納材１は、使用後、解体するなどしてから、廃棄される。本形態では、この解体を容易にするために、収納材１の下側側面片５０Ｂ，６０Ｂに、ミシン目線、ハーフスリット等からなる切断補助線Ｙが、幅方向中央部が円弧状に突出するように形成されている。この切断補助線Ｙの円弧状に突出する部分に指などを挿入し、側方に引くことによって、前側糊代片３０Ｈ，３０Ｈ及び後側糊代片４０Ｈ，４０Ｈ、下側側面片５０Ｂ，６０Ｂ、並びに、上側側面片５０Ａ，６０Ａの折り畳みが解除されるため、収納材１の解体が容易である。
【００２１】
ところで、本形態の収納材１は、箱体外面となる部位、すなわち、天外面（天面片１０の外面）、底外面（底面片２０の外面）、前外面（前面片３０の外面）、後外面（後面片４０の外面）、一方側外面（上側側面片５０Ａの外面及び下側側面片５０Ｂの外面）、並びに、他方側外面（上側側面片６０Ａの外面及び下側側面片６０Ｂの外面）の少なくとも一部に、本形態では全部（全面）にホログラム模様を有する凹凸層が設けられている。これにより、本形態のボックス型ティシュペーパーＢは、見る角度によって模様の色や形などが変化することになるため、従来の単なる立体的なデザインとは異なり、使用場所の雰囲気を彩るものとなる。また、このホログラム模様を有する層が凹凸を有すると、この凹凸による摩擦増加効果によって、収納されたティシュペーパーが減って軽くなったとしても、手から滑ってしまうおそれがない。
【００２２】
ここで、ホログラム模様を有する凹凸層は、意匠性等を考慮して、箱体外面となる部位に、適宜設けることができるが、天外面（天面片１０の外面）及び底外面（底面片２０の外面）の少なくとも一方の外面並びに、前外面（前面片３０の外面）、後外面（後面片４０の外面）、一方側外面（上側側面片５０Ａの外面及び下側側面片５０Ｂの外面）及び他方側外面（上側側面片６０Ａの外面及び下側側面片６０Ｂの外面）の少なくともいずれかの外面に設けられていると、図３に例示するように、ボックス型ティシュペーパーＢ（Ｂ１〜Ｂ５）が複数個積み重ねられて包装材に収納される場合において、デザイン性に優れ、好ましいものとなる。これは、主に、以下２つの理由による。まず、ホログラム模様を有する凹凸層が天外面及び底外面の少なくとも一方の外面に設けられていると、上下に積み重ねられたボックス型ティシュペーパーＢ間の摩擦が増加して、各別に動くことが抑制されるため、フィルムシート等の包装材が伸びてしまうことがなくなり、包装材の透明度が低下することや目に付くようになることを原因とするデザイン性の低下が防止されること、である。次に、ホログラム模様を有する凹凸層が前外面、後外面、一方側外面及び他方側外面の少なくともいずれかの外面に設けられていると、ボックス型ティシュペーパーＢ（Ｂ１〜Ｂ５）が複数個積み重ねられた状態においても、消費者の目にとまり、しかも周辺の同種のものからも相対的に目立つため、製品アピール等の観点においてデザイン性に優れたものになること、である。
【００２３】
ここで、ホログラム模様を有する凹凸層がどのような形態であるかは、特に限定されない。例えば、図４に示すように、各片２（天面片１０、底面片２０、前面片３０、後面片４０、上側側面片５０Ａ，６０Ａ、下側側面片５０Ｂ，６０Ｂ等）の外面２ａに、エチレン−酢酸ビニル共重合体系接着剤等によって形成された接着剤層３、アルミ箔やアルミ蒸着シート等からなる反射層４及びウレタン系樹脂等によって形成された樹脂層５がこの順に積層されてなるシール材を貼り付けることにより、設けることなどができる。この形態において、反射層４は、凹凸形状とされており、光を干渉させて立体的な画像を再生することができるようになっている。また、樹脂層５の表面５ａも、凹凸形状とされており、この凹凸形状によって、本形態でいう凹凸層の凹凸が構成されている。この凹凸の深さは、通常０．５〜１．５μｍ、好ましくは０．８〜１．２μｍである。
【００２４】
本発明は、スムーズで安全な廃棄処理、エネルギー・コストの抑制（節約）等の観点から、ホログラム模様を有する凹凸層は、アルミ箔やアルミ蒸着シート等からなる反射層４を設けず、ＵＶ（紫外線）硬化型樹脂又はプラスチックフィルムで形成するのが好ましい。この形態によれば、スムーズで安全な廃棄処理やエネルギー・コストの抑制（節約）をすることができ、しかも、ホログラム模様を容易に形成することができる。
【００２５】
凹凸層形成の原料となるＵＶ硬化型樹脂は、その種類が特に限定されず、例えば、メチル（メタ）アクリルレート、エチル（メタ）アクリレート、プロピル（メタ）アクリレート、ブチル（メタ）アクリレート、イソブチル（メタ）アクリレート、ｔ−ブチル（メタ）アクリレート、イソアミル（メタ）アクリレート、シクロヘキシル（メタ）アクリレート、２−エチルヘキシル（メタ）アクリレート、エチレングリコールジ（メタ）アクリレート、ポリエチレングリコールジ（メタ）アクリレート、ヘキサンジオールジ（メタ）アクリレート、トリメチロールプロパントリ（メタ）アクリレート、ペンタエリスリトールテトラ（メタ）アクリレート、ペンタエリスリトールトリ（メタ）アクリレート、ジペンタエリスリトールヘキサ（メタ）アクリレート、エチレングリコールジグリシジルエーテルジ（メタ）アクリレート、ポリエチレングリコールジ（メタ）アクリレート、プロピレングリコールジグリシジルエーテルジ（メタ）アクリレート、ポリプロピレングリコールジグリシジルエーテルジ（メタ）アクリレート、ソルビトールテトラグリシジルエーテルテトラ（メタ）アクリレート等を、適宜に使用することができる。
【００２６】
また、凹凸層形成の素材となるプラスチックフィルムは、その種類が特に限定されず、例えば、ポリプロピレン、ポリエチレンテレフタレート、ポリエチレン、ポリエステル、ポリアミド、ポリオレフィン、ポリスチレン、ポリカーボネート等を原料とするフィルムを、使用することができる。特に、光沢性という観点からは、二軸延伸ポリエステルフィルム、二軸延伸ポリプロピレンフィルムを使用するのが好ましく、二軸延伸ポリプロピレンは剥離性という点でも優れており、廃棄処理が容易となる。
【００２７】
また、凹凸層をＵＶ硬化型樹脂又はプラスチックフィルムで形成するに際しては、アルミニウム等からなる金属粉体をバインダーと混ぜ塗工して形成した反射層を設けることは、可能である。
【００２８】
この反射層を設けるに際して、金属粉体の形状は特に限定されず、例えば、球形状、多角形状等の粒子状、細長い針状、平板状などにすることができる。また、金属粉体の大きさも、特に限定されず、粒子状の場合は、例えば、平均粒径２０μｍ以下、好ましくは平均粒径１５μｍ以下にすることができる。この際、粒度分布は小さい方が好ましく、標準偏差で２μｍ以下、特に１μｍ以下が好適である。また、特に、金属粉体が平板状の粒子状の場合は、平均粒子径２０〜４０μｍ、平均厚さ０．１〜１．０μｍ、アスペクト比（径／厚さ）２０〜４００であるのが好適である。この形態は、１つ１つの粒子表面積が大きく、金属光沢を発現しやすい。なお、本明細書において平均粒子径は、顕微鏡観察により１００個の粒子を測定した平均値として得られるものとする。また、金属粉体の種類は、アルミニウムに限定されず、例えば、亜鉛、銀なども使用することができる。
【００２９】
一方、バインダーとしては、ポリエステル系樹脂、ポリアクリル酸エステル系樹脂、ニトロセルロース系樹脂、ポリアミド系樹脂、酢酸ビニル・塩化ビニル共重合体系樹脂、酢酸ビニル・マレイン酸共重合体系樹脂、紫外線硬化型樹脂などの、公知のバインダーを使用することができる。
【００３０】
金属粉体及びバインダーの質量比は、例えば、９０：１０〜５：９５、好ましくは８０：２０〜４０：６０である。バインダーの量が多すぎると金属光沢感が出にくくなる。他方、バインダーの量が少なすぎると強度が弱くなる。
【００３１】
この金属粉体及びバインダーからなる反射層は、各片２の外面に直接形成して設けても、先に形成しこれを各片２の外面に加熱等によって接着して設けてもよい。この接着は、紫外線硬化型樹脂を使用し、紫外線による硬化を利用して行うこともできる。ただし、一般には、反射層を乾燥して形成した後、ラミネート加工によって接着する方法が推奨される。このラミネート加工は、押出ラミネート、ウエットラミネート、ドライラミネート、ホットメルト接着等のいずれであってもよい。反射層等の表面にヒートシール性樹脂層やホットメルト層を形成し、別途加熱して接着してもよい（サーマルラミネート）。サーマルラミネートは、押出ラミネートのように高い温度がかからないため、フィルムの熱収縮による問題がなく、水性エマルジョンによるウエットラミネートのように水分による紙の寸法変化が生じることもないため、好適である。
【００３２】
ウエットラミネートにおいては、例えば、スチレン・ブタジエン共重合体、ポリ酢酸ビニル、ポリアクリル酸エステル等の水性エマルジョン接着剤を好適に使用することができる。押出ラミネートにおいては、ポリエチレン、エチレン・酢酸ビニル共重合体、エチレン・プロピレン共重合体、エチレン・アクリル酸共重合体塩などを好適に使用することができる。
【００３３】
サーマルラミネートに使用する樹脂としては、ＡＳＴＭ−Ｄ−１５２５に規定されるビカット軟化点５０〜１００℃のものが好適であり、５５〜８０℃のものがより好適である。樹脂の種類としては、エチレン・酢酸ビニル共重合体、エチレン・ブテン共重合体、ポリブタジエン、アタクチックポリプロピレンなどが好適である。また、これらの樹脂には、ホットメルト接着剤と同様に、例えば、タッキファイヤーやワックス等を混入することもできる。
【００３４】
ところで、以上のようにしてなる凹凸層は、印刷模様層（印刷によって模様が形成された層）を介して設けられ、この印刷模様層が凹凸層を通して視認可能とされているのが好ましい。視認可能な印刷層が設けられていると、ボックス型ティシュペーパーのデザイン性が向上する。この印刷模様層の原料は、特に限定されないが、油溶性金属錯塩が好ましく、例えば、１−２型アゾ型金属錯塩染料、１−１型ゾ型金属錯塩染料、金属フタロシアニン系染料、これらの染料の有機塩基塩などを、例示することができる。
【００３５】
また、印刷模様層が凹凸層を通して視認可能となるようにする方法は、特に限定されず、例えば、凹凸層を適宜の微細な間隔をあけて連続的に設けることや、特開２００５−１５３９７８号公報等に開示される方法によって設けることなどができる。これにより、印刷模様層が凹凸層によって隠蔽されて視認することができなくなってしまうのを防止することができる。
【００３６】
本形態において印刷による模様は、その内容が特に限定されず、例えば、パッケージ印刷柄や商品銘柄、商品情報等の文字、図柄等からなる模様を例示することができる。
【００３７】
〔その他〕
（１）本形態において、ホログラム模様を有する凹凸層の設け方は、特に限定されない。例えば、ホログラム模様を有する凹凸層をシール形態とし、これを各片２に貼り付ける方法、ホログラム模様を有する凹凸層を各片２に自己接着させる方法、特表平８−５０８１０６号公報等に開示さえるようにホログラム模様を有する凹凸層を各片２の外面に直接形成する方法、等を採用することができる。
（２）本形態において、基材としては、例えば、一般的な紙、板紙や樹脂シート等を、特に限定なく用いることができる。基材をコート紙で形成する場合、その坪量は、通常５０〜６００ｇ／ｍ2、好ましくは３００〜６００ｇ／ｍ2である。なお、坪量が５０ｇ／ｍ2未満の場合、収納材としての外力による強度が維持できないという問題があり、６００ｇ／ｍ2を越えた場合、箱体とする時に折れにくいという問題がある。
【産業上の利用可能性】
【００３８】
本発明は、六面体状等の箱体に組まれるとともに、この箱体の内部にティシュペーパー等の家庭用薄葉紙が収納され、例えば、ボックス型ティシュペーパーなどとして使用される、家庭用薄葉紙の収納材として、適用可能である。
【図面の簡単な説明】
【００３９】
【図１】ティシュペーパー収納材の展開図である。
【図２】ボックス型ティシュペーパーの斜視図である。
【図３】ボックス型ティシュペーパーが複数個積み重ねられた場合の斜視図である。
【図４】ホログラム模様を有する凹凸層の形態例である。
【符号の説明】
【００４０】
１…収納材、２…各片、３…接着剤層、４…反射層、５…樹脂層、１０…天面片、２０…底面片、３０…前面片、４０…後面片、５０Ａ，５０Ｂ，６０Ａ，６０Ｂ…側面片、Ｂ，Ｂ１〜５…ボックス型ティシュペーパー。
【図１】
2008030852.tif 000003
【図２】
2008030852.tif 000004
【図３】
2008030852.tif 000005
【図４】
2008030852.tif 000006